(57)【要約】      （修正有）【課題】従来のパチンコ遊技機にはなかった新たな興趣を盛り上げることができるパチンコ遊技機を提供する。【解決手段】パチンコ遊技機１０であって、ステージ及び該ステージへパチンコ球を導くワープ機構を備えないようにすることで、画像表示装置４０の液晶パネル部４１面積の拡大、並びに該液晶パネル部４１の動作領域を確保すると共に、該画像表示装置４０には、前記液晶パネル部４１を、前後、上下、左右、回転、傾斜、叉はこれらの組み合わせによる複合的な動作をさせる動的機能を備える構成を採用した。【選択図】図１
0003177387.tif 000002
【実用新案登録請求の範囲】
【請求項１】
パチンコ遊技機であって、
ステージ及び該ステージへパチンコ球を導くワープ機構を備えないようにすることで、画像表示装置の液晶パネル部面積の拡大、並びに該液晶パネル部の動作領域を確保すると共に、
該画像表示装置には、前記液晶パネル部を、前後、上下、左右、回転、傾斜、叉はこれらの組み合わせによる複合的な動作をさせる動的機能を備えたことを特徴とするパチンコ遊技機。
【請求項２】
前記画像表示装置における動的機能が、前記液晶パネル部に表示される映像データに組み込まれる表示内容と関連した動作指令信号に基づいて動作するか、又は、遊技盤の盤面におけるパチンコ玉の経路上となる任意位置に配置されるセンサーからの動作指令信号に基づいて動作するか、若しくはこれらの組合せにより動作をさせる動的機能であることを特徴とする請求項１に記載のパチンコ遊技機。
【請求項３】
前記画像表示装置における動的機能が、複数の電磁ソレノイド、又は複数のサーボモーター、若しくはこれらの組合せによる駆動装置を電子制御することによって、動作をさせる動的機能であることを特徴とする請求項１又は請求項２に記載のパチンコ遊技機。
【考案の詳細な説明】
【技術分野】
【０００１】
本考案は、パチンコ遊技機に関し、詳しくは、ステージ及び該ステージへとパチンコ球を導くワープ機構を備えないようにすることで、画像表示面積の拡大並びに該画像表示装置の動作領域を確保すると共に、該画像表示装置に表示される映像データに組み込まれた動作指令信号に基づき、該画像表示装置を該映像データによる表示内容と関連させて、前後、上下、左右、叉はこれらの複合的な動作をさせる動的機能を備えることで、従来のパチンコ遊技機にはなかった新たな興趣を盛り上げることができるパチンコ遊技機に関する。
【背景技術】
【０００２】
我が国で、最初にパチンコ遊技機が設置された店舗の開店は1930年のことであり、その歴史は古いものである。その後、第二次世界大戦によって、一時期は不要な産業として全面禁止となったり、風営法の制定や、パチンコの射幸性を抑制する数多くの規制などの法的な変遷に対応しながら、その構造や演出手段等が変えられてきた。近年でも、パチンコ業界の市場規模は20兆円を超える大きな産業であり（公益財団法人日本生産性本部余暇創研発行する「2010レジャー白書」調べ）、特に、パチンコ遊具機に液晶モニターが用いられるようになった1990年代からは、電子制御技術産業に関連する大手企業の業績が左右されるほどの重要な市場となっている。
【０００３】
しかしながら、パチンコ遊技機は流行や趣向性の影響を受けやすく、時代と共にその演出の変化が求められる機器であり、1990年代に登場した液晶パチンコ遊技機も、最近では、かつての漫画やドラマなどの作品を画像により演出したタイアップ機と呼ばれるものが主流となっているが、映像表示される有名人やキャラクター等が変化しても、パチンコ遊技機そのものの機能に影響するものではないため、その興趣性は将来的には低下することが予想され、新たな興趣性を備えたパチンコ遊技機が求められるところである。
【０００４】
また、前記液晶パネル以外にも、その興趣性を高めるために、現在のパチンコ遊技機においては、ステージ及び該ステージへとパチンコ球を導くワープ機構を備えるものが多い。これは、ステージに乗ったパチンコ球の動きに不規則性を与え、その興趣性を高めようと工夫されたものと考えられる。しかしながら、その反面で、遊技者の中には、大当たり中でアタッカーが開いているのに、パチンコ球が、盤上で左右に行ったり来たりしたりしている動作によって生じるタイムラグに苛苛したり、該ステージから排出されたパチンコ球が、ワープを通らずにきた他のパチンコ球とぶつかって、大入賞口等へ入るチャンスを逃すことがあるという理由から不満があり、ステージ及び該ステージへとパチンコ球を導くワープ機構は不要ではないのかという声の多いのも現状である。しかし、単純にこれらを設けない構成としただけでは退歩的と言わざるを得ない。
【０００５】
このような現状に鑑み、新たな興趣性を求めたパチンコ遊技機に関する技術が種々提供されている。例えば、パチンコ球が転動する通路やステージ上に立体的な像を表示させ、パチンコ球の流れに影響を与えることなく視覚的に意外性のある演出を行う「パチンコ機」（特許文献１）が提案されている。係る。「パチンコ機」は、パチンコ球が遊技盤面上の始動口に入ることを条件として抽選が実行されるとともに、その抽選で入賞が成立したとき、入賞球が得られ易い特別遊技状態に設定されるパチンコ遊技機において、遊技盤にパチンコ球が転動可能な転動面と、立体像を光学的に生成することが可能な立体像表示装置とが設けられ、前記立体像表示装置により転動面の所定位置に立体像を結像させるようにしたパチンコ機であり、視覚的な演出を行う点で本願考案と課題解決の目的が一部共通している。しかしながら、係る発明は立体像表示装置や鏡面部材等が高額であり、コスト高となる問題が残っている。また、ステージ及び該ステージへとパチンコ球を導くワープ機構を備える点において、本願考案とは相違している。
【０００６】
また、遊技者に通常とは異なる演出を与える遊技機を提供することを目的とする「遊技機」も提案されている（特許文献２）。係る「遊技具」は、始動口の下方にあって、端部が抽選径路に連通し、前記始動口に入賞したパチンコ球を受承して前記抽選径路に導く一以上の補助径路を備えた遊技機に於いて、前記抽選径路は、前記パチンコ球が通過した際にそれを検出する抽選センサーを有し、前記補助径路は、全部又は一部が、前記パチンコ球が通過した際にそれを検出する補助センサーを有し、前記遊技機は、前記補助センサーが前記パチンコ球の通過を検出した場合に、通常とは異なる演出を行うか、又は前記補助センサーが前記パチンコ球の通過を検出した際に予め設定された確率抽選を行った結果が当選の場合に、通常とは異なる演出として、フィギュアや電動役物の動作等を行う遊技機であり、立体的視覚効果による演出を行う点で、本願考案と課題解決の目的が一部共通している。しかしながら、フィギア等の有体物では汎用性に欠け、ソフトウェアのみの変更による拡張的な演出をすることができないという問題を有している。
【０００７】
また、パチンコ機として大別される２種タイプ特有の興趣性を犠牲にすることなく自由度の高い表示装置を備えるパチンコ機も提供されている（特許文献３）。かかる発明は、遊技領域を形成する遊技盤に始動口と大入賞口装置とが備えられ、前記大入賞口装置は、前記始動口に遊技球が通過することを契機として開放される入賞口と、入賞口に入った遊技球を案内する複数の流路と、いずれかの流路の最下流に配置される当たり孔とを有する、パチンコ機であって、動作可能であり、入賞口に入った遊技球を前記動作に基づき前記当たり孔に入る確率が高い流路と低い流路とに振り分ける模型役物と、前記模型役物の背後に、前記模型役物の動作と関連づけられる画像が表示される表示装置とを備えるパチンコ機であり、立体的な動作による視覚的効果を、画像表示と関連している点において、本願考案と、課題解決の技術的手段な一部共通している。しかしながら、特許文献３に記載された発明では、被動作物が模型役物である点において、被動作物が画像表示装置である本願考案と相違している。
【０００８】
本願出願人は、上記の問題点のうち、ステージ及び該ステージへパチンコ球を導くワープ機構を排除することを考え、これによって得られたオープンスペースをどのように活用するかという着想の下、今まで固定されていた画像表示装置の動的化と、この動きを該画像表示装置に表示される画像と関連づけることで、従来のパチンコ遊技機と比してより、遊技者に高い興趣性を提供することできるパチンコ遊技機の提案に至ったものである。
【先行技術文献】
【特許文献】
【０００９】
【特許文献１】特開２００８−１１９０８３号公報
【特許文献２】特開２００４−１５４１８１号公報
【特許文献３】特開２００９−９５４９９号公報
【考案の概要】
【考案が解決しようとする課題】
【００１０】
本考案は上記問題点に鑑み、ステージ及び該ステージへとパチンコ球を導くワープ機構を備えないようにすることで、画像表示面積の拡大並びに該画像表示装置の動作領域を確保すると共に、該画像表示装置に表示される映像データに組み込まれた動作指令信号に基づき、該画像表示装置を該映像データによる表示内容と関連させて、前後、上下、左右、叉はこれらの複合的な動作をさせる動的機能を備えることで、従来のパチンコ遊技機にはなかった新たな興趣を盛り上げることができるパチンコ遊技機の提供。
【課題を解決するための手段】
【００１１】
本考案は、パチンコ遊技機であって、ステージ及び該ステージへパチンコ球を導くワープ機構を備えないようにすることで、画像表示装置の液晶パネル部面積の拡大、並びに該液晶パネル部の動作領域を確保すると共に、該画像表示装置には、前記液晶パネル部を、前後、上下、左右、回転、傾斜、叉はこれらの組み合わせによる複合的な動作をさせる動的機能を備えた構成のパチンコ遊技機とした。
【００１２】
また、本願考案は、前記画像表示装置における動的機能が、前記液晶パネル部に表示される映像データに組み込まれる表示内容と関連した動作指令信号に基づいて動作するか、又は、遊技盤の盤面におけるパチンコ玉の経路上となる任意位置に配置されるセンサーからの動作指令信号に基づいて動作するか、若しくはこれらの組合せにより動作をさせる動的機能である構成を採用した前記に記載したパチンコ遊技機とすることもできる。
【００１３】
また、本願考案は、前記画像表示装置における動的機能が、複数の電磁ソレノイド、又は複数のサーボモーター、若しくはこれらの組合せによる駆動装置を電子制御することによって、動作をさせる動的機能である構成を採用した前記に記載したパチンコ遊技機とすることもできる。
【考案の効果】
【００１４】
本考案に係るパチンコ遊技機によれば、液晶パネル部が動くという新たな興趣性を得ることができうるという優れた効果を奏する。
【００１５】
また、本考案に係るパチンコ遊技機によれば、前記記載の液晶パネル部が動くという新たな興趣性を得るために、ステージ及び該ステージへとパチンコ球を導くワープ機構を備えない構成を採用した結果、パチンコ球が盤上で左右に行ったり来たりしたりする動作に苛苛することもなく、また、インターバルの変動による回転率への影響もなくなり、現存する遊技者の不満も解消するという優れた効果を奏する。
【００１６】
また、本考案に係るパチンコ遊技機において、チャッカー、入賞口、チューリップ、又は大入賞口等に設けたセンサーからの動作指令信号に基づいて動作するか、又は、液晶パネル部に表示される映像データに組み込まれる表示内容と関連した動作指令信号に基づいて動作するか、若しくはこれらの組合せにより液晶パネル部が動作する動的機能を備えているため、例えば、表示される映像に特段の変化がなくても、パチンコ球の経路によっては液晶パネル部に動きを与えることもでき、また、飛行機を操縦しているような映像であれば、この映像に応じて液晶パネル部をロールさせたり、離れていくシーンであれば、より臨場感を演出すべく前後に移動させる等、あらゆる場面に対応して演出を図ることが可能となるという優れた効果を奏する。
【００１７】
また、本考案に係るパチンコ遊技機において、画像表示装置の動的機能が、複数の電磁ソレノイドと複数のサーボモーターを組合せた駆動装置を電子制御する場合では、速い動きは電磁ソレノイドを用い、リニアな動きにはサーボモーターを用いるなど使い分けることで、高い演出効果を発揮できるという優れた効果を奏する。
【００１８】
また、本考案に係るパチンコ遊技機によれば、画像表示装置の動的機能により、画像表示装置をパチンコ遊技機の前面から後方へ移動させることで、液晶パネル部の前面にオープンスペースを作ることができるので、例えば、遊戯開始当初は最前面に配置されていた画像表示装置を、前記センサー等の動作指令信号や画像データからのプログラミングされた指令により後退させ、従来機が占領していたステージ部から動的立体装飾を登場させたり、或いは第二の小型液晶パネルを登場させて、別画像や文字画像を同時表示するなど、従来機にはない高い演出効果を発揮できるという優れた効果を奏する。
【図面の簡単な説明】
【００１９】
【図１】本考案に係るパチンコ遊技機の実施形態を示す説明図である。
【図２】本考案に係るパチンコ遊技機と従来機との対比説明図である。
【図３】本考案に係る画像表示装置の動的機能説明図である。
【図４】本考案に係る画像表示装置のユニット構成説明図である。
【考案を実施するための形態】
【００２０】
本考案に係るパチンコ遊技機１０は、ステージ２０及び該ステージ２０へパチンコ球を導くワープ機構３０を備えないようにすること、及び、画像表示装置４０の液晶パネル部４１が動作する動的機能を備えたことを最大の特徴とするものである。以下、実施例を図面に基づいて説明する。
【００２１】
図１は、本考案に係るパチンコ遊技機１０の実施形態を示す説明図であり、図２は、本考案に係るパチンコ遊技機１０（図２（ａ））と従来機１１（図２（ｂ））との対比説明図である。本考案に係るパチンコ遊技機１０では、図１に示すように、盤面５０上に、ステージ２０及び該ステージ２０へパチンコ球を導くワープ機構３０を備えていない構成を採用している。係る構成を採用したことにより、図２に示した通り、本考案に係るパチンコ遊技機１０ではステージ２０の配置領域であった下方部にオープンスペースを確保し、ワープ機構３０のワープ口３１や、ワープ経路３２の配置領域であった左右部にオープンスペースを確保し、画像表示装置４０における液晶パネル部４１の面積の拡大を図ると共に、液晶パネル部４１の動作領域４２を確保している。図１の液晶パネル部４１の中に表した矢印は、其々、Ｘ軸方向、Ｙ軸方向、Ｚ軸方向の基準軸を示すものである。また、中央の略円形状の矢印は、Ｚ軸周りの回転又はロール方向への動作を説明したものである。即ち、Ｘ軸が左右方向の動き、Ｙ軸が上下方向の動き、Ｚ軸が前後方向及び回動方向を其々示す。また、図示はしていないが、基準軸を左右または上下として、液晶パネル部４１を傾斜させる動きを与えることも有効である。
【００２２】
図３は、本考案に係る画像表示装置４０における液晶パネル部４１の動的機能説明図であり、図４は、本考案に係る画像表示装置４０のユニット構成説明図である。図３及び図４は、画像表示装置４０の構成としての一つの例であり、アウターフレーム４４ａ内を前後に摺動するスライドフレーム４４ｂの内側に液晶パネル部４１を備え、これらを駆動する駆動装置４３とを備えた構成を採用した場合の実施例を示している。なお、係る実施例のように、画像表示装置４０は、一体ユニット化することで汎用性を持たせることが望ましい。
【００２３】
前記した各軸方向に向け、液晶パネル部４１に動きを与える技術としては種々の方法が考えられるが、例えば、図３及び図４に示した実施例のように、一体化されたユニットの内部に、Ｘ方向、Ｙ方向、或いはＺ方向等にスライドフレーム４４ｂを通し、該スライドフレーム４４ｂ内のガイド溝４４ｃに摺動するローラーや自在ジョイント４９等をリンク機構などの伝達機構４７を介して、これをサーボモーターや電磁ソレノイド等の動力発生装置４５により駆動し、液晶パネル部４１を左右、上下、前後に操作したり、図示はしていないが、液晶パネル部４１の傾斜角や回動制御等する。係る制御手段等についても特に限定するものではなく、例えば、サーボモーターを用いる場合であればＰＷＭ制御等が考え得る。また同様に、電磁ソレノイドをオン・オフ制御によって動作させること等も考えられる。動力発生装置４５にサーボモーターを用いる場合は、穏やかな動きや複雑な動きの繰り返しなどのリニアな動きをさせたい場合等に向き、電磁ソレノイドでは、瞬間的な早い動きを与えたいときに用いると効果的である。なお、請求項３に係る考案では、複数の電磁ソレノイド、又は複数のサーボモーター、若しくはこれらの組合せによる構成に特定しているが、動力発生装置４５に油圧シリンダーや空圧シリンダー等の動力シリンダーや、リニアモータによる往復駆動装置（リニア・アクチュエータ）を用いることも有効である。
【００２４】
また、スライドフレーム４４ｂ内における液晶パネル部４１の位置関係や、
アウターフレーム４４ａに対するスライドフレーム４４ｂに位置関係などについては、一般的なロータリーエンコーダーや、光学的変位センサー等を用いて変異量情報や現状位置情報を把握すればよい。中心位置への復帰は、例えば、駆動装置４３の駆動装置４２にサーボモーターを用いる場合であれば、該サーボモーターの出力軸に、ギヤード式の減速装置やプーリー式の速度変更機構４６などから出力される動力を、電磁クラッチを介してロッドやベルト駆動等による伝達機構４７をフリー状態とし、弾性部材４８の機械的作用によって液晶パネル部４１をスライドフレーム４４ｂの中心位置に復帰させてもよい。
【００２５】
動作指令信号は、液晶パネル部４１に映し出される映像データから発信されるか、或いは、盤面５０の風車５１、入賞口５２、始動口５３、大入賞口５４、アウト口５５、チェッカー５６、電動チューリップ５７等から発信され、該動作指令信号が複合的に入力された場合の優先順位や、動作条件等はプログラミングによって決定する。
【００２６】
例えば、液晶パネル４１に映し出される映像がカーアクションものであれば、画像信号より旋回時の車ロールを表現したり、加速や減速時に液晶パネル４１を前後させるなどの臨場感を表現する。このような映像データから発信される動作指令信号がある場合でも、パチンコ球が大入賞口に入った場合や、盤面５０に設置された風車５１等の各センサーから入力された信号毎に定めた特定の動作を優先させるなど、設定の自由度を設けて興趣性を高める。
【符号の説明】
【００２７】
１０  パチンコ遊技機
１１  従来機
２０  ステージ
３０  ワープ機構
３１  ワープ入口
３２  ワープ経路
４０  画像表示装置
４１  液晶パネル部
４２  動作領域
４３  駆動装置
４４ａ  アウターフレーム
４４ｂ  スライドフレーム
４４ｃ  ガイド溝
４５  動力発生装置
４６  速度変更機構
４７  伝達機構
４８  弾性部材
４９  自在ジョイント
５０  盤面
５１  風車
５２  入賞口
５３  始動口
５４  大入賞口
５５  アウト口
５６  チェッカー
５７  電動チューリップ
【図１】
0003177387.tif 000003
【図２】
0003177387.tif 000004
【図３】
0003177387.tif 000005
【図４】
0003177387.tif 000006